(57)【特許請求の範囲】
【請求項１】
ワイヤレスデバイスのための方法であって、
第１の送信信号を受信することであって、前記第１の送信信号が、第１の電力比を有する符号化されたデータシンボルとパイロットシンボルを含む、受信することと、
前記送信信号から前記データシンボルとパイロットシンボルを抽出することと、
他のワイヤレスデバイスから受信したチャネル推定に関する情報に少なくとも部分的に基づいて、前記パイロットシンボルと前記データシンボルの間で、利用可能な送信電力を割り当てることであって、前記チャネル推定に関する情報が、前記ワイヤレスデバイスからの送信信号と前記第１の送信信号とに少なくとも部分的に基づく、割り当てることと、
前記割り当てられた利用可能な送信電力を使用して、第２の電力比を有する前記パイロットシンボルとデータシンボルを第２の送信信号内に符号化することと、
前記第２の送信信号を中継送信として送信することと
を含む、ワイヤレスデバイスのための方法。
【請求項２】
前記第１の送信信号を受信することが、異なる電力レベルで送信されたデータシンボルとパイロットシンボルを含む送信信号を受信することを含む、請求項１に記載の方法。
【請求項３】
利用可能な送信電力を割り当てることが、前記第１の電力比とは異なる前記第２の電力比に従って、前記パイロットシンボルとデータシンボルの間で利用可能な送信電力を分配することを含む、請求項２に記載の方法。
【請求項４】
前記他のワイヤレスデバイスから前記チャネル推定に関する情報を受信することをさらに含む、請求項１に記載の方法。
【請求項５】
前記パイロットシンボルとデータシンボルを前記第２の送信信号内に符号化することが、直交周波数分割多重に従って、前記チャネル推定に関する情報に少なくとも部分的に基づいて、前記パイロットシンボルとデータシンボルを変調することを含む、請求項１に記載の方法。
【請求項６】
前記第１の送信信号を受信することが、基地局から前記第１の送信信号を受信することを含む、請求項１に記載の方法。
【請求項７】
前記パイロットシンボルと前記データシンボルの間で、利用可能な送信電力を割り当てることが、第１のレベルの前記利用可能な送信電力を前記パイロットシンボルに割り当て、第２のレベルの前記利用可能な送信電力を前記データシンボルに割り当てることであって、前記第１のレベルの前記利用可能な送信電力が、前記第２のレベルの前記利用可能な送信電力とは異なる、割り当てることを含む、請求項１に記載の方法。
【請求項８】
前記パイロットシンボルと前記データシンボルの間で、利用可能な送信電力を割り当てることが、前記パイロットシンボルおよび前記データシンボルのうちの一方が他方よりも小さくなるように、前記利用可能な電力を割り当てることをさらに含む、請求項１に記載の方法。
【請求項９】
第１の送信機からパイロットシンボルとデータシンボルを受信することであって、前記受信するパイロットシンボルとデータシンボルが、第１の電力比を有する、受信することと、
第２の送信機から前記パイロットシンボルとデータシンボルを再送することであって、前記再送するパイロットシンボルとデータシンボルが、第２の電力比を有する、再送することと、
前記第１の送信機および前記第２の送信機の少なくとも一方によってチャネル推定に関する情報を受信することであって、前記チャネル推定に関する情報は、前記第１の送信機および前記第２の送信機からの送信信号に含まれる前記パイロットシンボルを用いて得られることと、
前記第１の送信機および前記第２の送信機の前記少なくとも一方によって、前記チャネル推定に関する情報に基づいて前記第１の電力比及び前記第２の電力比のそれぞれを調整することと、
前記調整した電力比に従って、前記第１の送信機および前記第２の送信機の前記少なくとも一方から前記データシンボルとパイロットシンボルを送信することと
を含む、データをワイヤレスで送信する方法。
【請求項１０】
前記第１の電力比と第２の電力比が、異なる、請求項９に記載の方法。
【請求項１１】
前記再送したパイロットシンボルが、前記再送したデータシンボルよりも低い電力を有する、請求項９に記載の方法。
【請求項１２】
前記第１の送信機から前記パイロットシンボルとデータシンボルを受信し、第２の送信機から前記パイロットシンボルとデータシンボルを再送することが、
受信したワイヤレス送信から前記パイロットシンボルとデータシンボルを抽出することと、
前記第２の電力比に従って、前記パイロットシンボルと前記データシンボルに、利用可
能な送信電力を分配することと、
前記パイロットシンボルとデータシンボルを、再送するワイヤレス送信内に符号化し、それを送信することと
を含む、請求項９に記載の方法。
【請求項１３】
第１の送信信号を受信機に送信するように構成される第１の送信機であって、前記第１の送信信号が、第１の電力比を有するパイロットシンボルとデータシンボルを用いて符号化される、第１の送信機と、
第２の送信信号を前記受信機に送信するように構成される第２の送信機であって、前記第２の送信信号が、前記第１の電力比とは異なる第２の電力比を有するパイロットシンボルとデータシンボルを用いて符号化される、第２の送信機とを備え、
前記受信機が、前記第１の送信信号および第２の送信信号を受信し、チャネル推定を実行し、前記チャネル推定に関する情報を前記第１の送信機および第２の送信機の少なくとも一方に送信するように構成され、
前記チャネル推定が、前記第１の送信信号および第２の送信信号を利用し、前記第１の送信信号および第２の送信信号が、少なくともパイロットシンボルを含み、
前記第１の送信機および第２の送信機の少なくとも一方は、受信した前記チャネル推定に関する情報に少なくとも部分的に基づいて、送信する信号の前記パイロットシンボルとデータシンボルの電力を計算する、
ワイヤレス通信ネットワーク。
【請求項１４】
前記第１の送信機が、基地局を含み、前記第２の送信機が、中継局を含む、請求項１３に記載のワイヤレス通信ネットワーク。
【請求項１５】
前記第１の電力比および第２の電力比の少なくとも一方が、異なる電力レベルにある前記データシンボルとパイロットシンボルを有する、請求項１３に記載のワイヤレス通信ネットワーク。
【請求項１６】
前記第１の送信機および第２の送信機の少なくとも一方が、直交周波数分割多重に従って前記パイロットシンボルとデータシンボルを変調するように構成される変調器を備える、請求項１３に記載のワイヤレス通信ネットワーク。
【請求項１７】
前記第１の送信機および第２の送信機の少なくとも一方が、
前記チャネル推定に関する情報を受け取り、前記チャネル推定に関する情報に少なくとも部分的に基づいて、それぞれの送信信号の前記パイロットシンボルとデータシンボルを送信するそれぞれの電力を計算するように構成される電力分配コントローラと、
前記電力分配コントローラに結合され、前記それぞれの電力比に従って、前記パイロットシンボルと前記データシンボルの間で、利用可能な送信電力を分配するように構成される電力分配ブロックと
を備える、請求項１３に記載のワイヤレス通信ネットワーク。
【請求項１８】
前記電力分配コントローラが、
前記チャネル推定に関する情報を受け取り、前記チャネル推定に関する情報に少なくとも部分的に基づいて、送信レートを計算するように構成される送信レート計算ブロックと、
それぞれの送信レートに関連付けられた少なくとも１つの電力比を記憶するように構成され、前記送信レート計算ブロックによって計算された前記送信レートに関連付けられた前記電力比を前記電力分配ブロックに提供するようにさらに構成されるルックアップテーブルと
を備える、請求項１７に記載のワイヤレス通信ネットワーク。
【請求項１９】
前記電力分配コントローラが、前記第１の送信信号および第２の送信信号の少なくとも一方についての受信機によって提供されるチャネル推定に関する情報を受け取る、請求項１７に記載のワイヤレス通信ネットワーク。
【請求項２０】
符号化されたデータシンボルとパイロットシンボルを含む送信信号を受信するように構成される受信機と、
前記受信機に結合され、前記送信信号からデータシンボルとパイロットシンボルを抽出するように構成されるシンボル抽出ブロックと、
チャネル状態情報を受け取り、前記チャネル状態情報に少なくとも部分的に基づいて、前記パイロットシンボルとデータシンボルを送信するそれぞれの電力を計算するように構成される電力分配コントローラであって、前記チャネル状態情報が、送信信号に少なくとも部分的に基づき、前記送信信号が、符号化されたデータシンボルとパイロットシンボルを含み、前記送信信号が、複数の送信機からのものである、電力分配コントローラと、
前記電力分配コントローラおよび前記抽出ブロックに結合され、それぞれの電力比に従って前記パイロットシンボルと前記データシンボルの間で、利用可能な送信電力を分配し、電力分配されたデータシンボルとパイロットシンボルを提供するように構成される電力分配ブロックと、
前記電力分配ブロックに結合され、前記電力分配されたデータシンボルとパイロットシンボルから送信シンボルを生成するように構成される送信シンボル生成ブロックと、
前記送信シンボル生成ブロックに結合され、前記送信シンボルをワイヤレスで送信するように構成される送信機と
を備え、
前記電力分配コントローラが、
前記チャネル状態情報を受け取り、前記チャネル状態情報に少なくとも部分的に基づいて、送信レートを計算するように構成される送信レート計算ブロックと、
それぞれの送信レートに関連付けられた少なくとも１つの電力比を記憶するように構成され、前記送信レート計算ブロックによって計算された前記送信レートに関連付けられた前記電力比を前記電力分配ブロックに提供するようにさらに構成されるルックアップテーブルと
を備える、中継送信機。
【請求項２１】
前記シンボル抽出ブロックが、
前記送信信号からサイクリックプレフィックスを除去するように構成されるサイクリックプレフィックス除去ブロックと、
前記サイクリックプレフィックスが除去された前記送信信号を変換送信信号に変換するように構成される変換ブロックと、
前記変換信号から前記データシンボルとパイロットシンボルを抽出するように構成されるデータシンボルおよびパイロットシンボル抽出ブロックと
を備える、請求項２０に記載の中継送信機。
【請求項２２】
前記送信シンボル生成ブロックが、
前記電力分配されたデータシンボルとパイロットシンボルを多重化し、送信のために前記パイロットシンボルを前記データシンボルと組み合わせるように構成されるマルチプレクサと、
前記組み合わされたパイロットシンボルとデータシンボルを変換シンボルに変換するように構成される変換ブロックと、
前記変換シンボルにサイクリックプレフィックスを追加するように構成されるサイクリックプレフィックスブロックと
を備える、請求項２０に記載の中継送信機。
【請求項２３】
前記第１の送信機が、前記受信機に第３の送信信号を送信するように構成され、前記第３の送信信号が、前記第１の電力比とは異なる、前記チャネル推定に関する情報に部分的に基づいた第３の電力比を有するパイロットシンボルとデータシンボルを用いて符号化される、
請求項１３に記載のワイヤレス通信ネットワーク。
【請求項２４】
前記受信機が、前記チャネル推定に関する情報を前記第２の送信機に送信するようにさらに構成される、請求項１３に記載のワイヤレス通信ネットワーク。
【請求項２５】
前記第１の送信機が、前記受信機に第３の送信信号を送信するようにさらに構成され、前記第３の送信信号が、前記第１の電力比とは異なる、前記チャネル推定に関する情報に部分的に基づいた第３の電力比を有するパイロットシンボルとデータシンボルを用いて符号化され、
前記第２の送信機が、前記受信機に第４の送信信号を送信するようにさらに構成され、前記第４の送信信号が、前記第２の電力比とは異なる、前記チャネル推定に関する情報に部分的に基づいた第４の電力比を有するパイロットシンボルとデータシンボルを用いて符号化される、
請求項２４に記載のワイヤレス通信ネットワーク。
【発明の詳細な説明】
【背景技術】
【０００１】
本明細書において別途指摘がない限り、本セクションで説明される構成要素は、本出願の特許請求の範囲の先行技術ではなく、また本セクションに含まれることによって先行技術であると認められることはない。
【０００２】
ワイヤレス通信ネットワークは、ワイヤレスネットワークのカバレージを広げ、信頼性を高めるために、中継局を利用する。中継局は、基地局から送信信号を受信し、その送信信号を、ワイヤレスユーザなど、受信機に再送する。基地局および中継局と通信を確立する際、受信機は、エンティティ間で情報が送信される通信チャネルを各局と確立する。通信チャネルを確立するプロセスの一環として、受信機は、通信チャネルを「推定」して、受信した送信信号から情報を正確に抽出することに関連する様々なパラメータを決定する。
【０００３】
チャネル推定は、基地局および中継局など、それぞれの送信機によって受信機に提供される情報に少なくとも部分的に基づくことができる。例えば、基地局および中継局から受信機へのデータシンボルの送信信号には、既知のパイロットシンボルを含めることができ、受信機は、パイロットシンボルを使用して、通信チャネルを推定する。一般に、基地局、中継局、および受信機を有する単純な通信システムでは、３つの通信チャネル、すなわち、基地局と受信機の間の第１の通信チャネル、基地局と中継局の間の第２の通信チャネル、および中継局と受信機の間の第３の通信チャネルが存在する。受信機は、基地局および中継局との通信チャネルのチャネル推定を実行する。
【発明の概要】
【０００４】
方法、デバイス、および／またはシステムを含む技法を概略的に説明する。
【０００５】
本開示は、ワイヤレスデバイスのための方法について説明する。いくつかの例示的な方法は、符号化されたデータシンボルとパイロットシンボルを含む第１の送信信号を受信することを含むことができる。データシンボルとパイロットシンボルが、送信信号から抽出され、利用可能な送信電力が、チャネル状態情報に少なくとも部分的に基づいて、パイロットシンボルとデータシンボルの間で割り当てられる。パイロットシンボルとデータシンボルは、割り当てられた利用可能な送信電力を使用して、第２の送信信号内に符号化され、第２の送信信号が、中継送信信号として送信される。
【０００６】
本開示は、データをワイヤレスで送信する方法についても説明する。いくつかの例示的な方法は、第１の送信機からパイロットシンボルとデータシンボルを送信することを含むことができ、送信されるパイロットシンボルとデータシンボルは、第１の電力比を有する。パイロットシンボルとデータシンボルは、第１の送信機から受信され、第２の送信機から再送され、再送されるパイロットシンボルとデータシンボルは、第２の電力比を有する。送信されるパイロットシンボルとデータシンボルおよび再送されるパイロットシンボルとデータシンボルは、それぞれ第１の電力比および第２の電力比を有し、少なくともパイロットシンボルが、通信チャネルを推定するために使用される。
【０００７】
本開示は、無線デバイスのための別の方法についても説明する。いくつかの例示的な方法は、第１の送信機から第１の送信信号を受信することを含み、第１の送信信号は、第１の電力比を有するパイロットシンボルとデータシンボルを用いて符号化される。第２の送信信号が、第２の送信機から受信される。第２の送信信号は、第２の電力比を有するパイロットシンボルとデータシンボルを用いて符号化され、第２の送信信号は、第１の送信信号の再送に対応する。通信チャネルが、第１の送信信号および第２の送信信号のパイロットシンボルから推定される。
【０００８】
本開示は、ワイヤレス通信ネットワークについても説明する。いくつかの例示的なワイヤレス通信ネットワークは、第１の送信機と、第２の送信機とを含む。第１の送信機は、受信機に第１の送信信号を送信するように構成される。第１の送信信号は、第１の電力比を有するパイロットシンボルとデータシンボルを用いて符号化される。第２の送信機は、受信機に第２の送信信号を送信するように構成される。第２の送信信号は、第１の電力比とは異なる第２の電力比を有するパイロットシンボルとデータシンボルを用いて符号化される。
【０００９】
本開示は、ワイヤレス通信デバイスについても説明する。いくつかの例示的なワイヤレス通信デバイスは、受信機と、送信機とを含む。受信機は、複数の送信機から送信信号を受信するように構成される。送信信号の各々は、対応する送信電力比を有するパイロットシンボルとデータシンボルを用いて符号化される。受信機は、受信した送信信号のパイロットシンボルから通信チャネルを推定するようにさらに構成される。送信機は、複数の送信機の少なくとも１つにチャネル状態情報を送信するように構成され、チャネル状態情報は、推定された通信チャネルに関連する。
【００１０】
本開示は、中継送信機についても説明する。いくつかの例示的な中継送信機は、符号化されたデータシンボルとパイロットシンボルを含む送信信号を受信するように構成される受信機を含む。やはり中継送信機に含まれるシンボル抽出ブロックは、受信機に結合され、送信信号からデータシンボルとパイロットシンボルを抽出するように構成される。中継送信機は、チャネル状態情報を受信し、チャネル状態情報に少なくとも部分的に基づいて、パイロットシンボルとデータシンボルを送信するそれぞれの電力を計算するように構成される電力分配コントローラをさらに含む。電力分配コントローラおよび抽出ブロックに結合される電力分配ブロックは、それぞれの電力比に従ってパイロットシンボルとデータシンボルの間で、利用可能な送信電力を分配し、電力分配されたデータシンボルとパイロットシンボルを提供するように構成される。送信シンボル生成ブロックは、電力分配ブロックに結合され、電力分配されたデータシンボルとパイロットシンボルから送信シンボルを生成するように構成され、送信機は、送信シンボル生成ブロックに結合され、送信シンボルをワイヤレスで送信するように構成される。
【００１１】
上述の要約は、例示的なものにすぎず、決して限定することを意図してはいない。上で説明した例示的な態様、実施形態、および特徴に加えて、さらなる態様、実施形態、および特徴が、図面および以下で詳述される説明を参照することによって明らかになる。
【００１２】
本開示の上述および他の特徴が、添付の図面と併せて読まれる以下の説明および添付の特許請求の範囲からより完全に明らかになる。これらの図面は本開示によるいくつかの例を示すにすぎず、したがって、本開示の範囲を限定するものと見なすべきではないことを踏まえたうえで、添付の図面を使用しながら、本開示についてさらに具体的かつ詳細に説明する。
【図面の簡単な説明】
【００１３】
【図１】ワイヤレス通信ネットワークの図である。
【図２】データをワイヤレスで伝達するためのいくつかの例示的な方法を示すフロー図であり、すべては本開示の少なくともいくつかの例に従って構成される。
【図３】基地局など、例示的な送信機の一部についてのブロック図である。
【図４】データを送信するためのいくつかの例示的な方法を示すフロー図であり、すべては本開示の少なくともいくつかの例に従って構成される。
【図５】中継局など、例示的な送信機の一部についてのブロック図である。
【図６】データを送信するためのいくつかの例示的な方法を示すフロー図であり、すべては本開示の少なくともいくつかの例に従って構成される。
【図７】例示的な電力分配コントローラ部についてのブロック図である。
【図８】例示的な受信機の一部についてのブロック図である。
【図９】通信チャネルを確立するためのいくつかの例示的な方法を示すフロー図であり、すべては本開示の少なくともいくつかの例に従って構成される。
【発明を実施するための形態】
【００１４】
以下の詳細な説明では、詳細な説明の一部を形成する添付の図面を参照する。図面では、文脈において別途指摘がない限り、一般に、類似の記号は、類似の構成要素を識別する。詳細な説明、図面、および特許請求の範囲において説明される例示的な例は、限定することを意図していない。本明細書で提示される本発明の主旨または範囲から逸脱することなく、他の例を利用することができ、他の変更を施すことができる。本明細書で概略的に説明され、図に示されるような本開示の態様は、多種多様な異なる構成で配置し、置き換え、組み合わせ、分離し、および設計することができ、そのすべてが本明細書において暗黙的に企図されていることが容易に理解されよう。
【００１５】
本開示は、とりわけ、一般にワイヤレス通信およびワイヤレス通信システムに関する、方法、システム、デバイス、および／または装置を対象としている。各々が異なる電力比で送信される、ワイヤレスで送信される信号と再送される信号を使用して、通信チャネルを推定するための技法を概略的に説明する。例示的なワイヤレス通信システムは、基地局と、中継局と、ワイヤレスデバイスとを含むことができる。基地局は、第１の信号を送信するように構成される送信機を含むことができ、第１の信号は、第１の電力比を有するパイロットシンボルとデータシンボルを含む。中継局は、第１の信号を受信するように構成される受信機と、第１の信号を第２の信号として再送するように構成される送信機とを含むことができ、第２の信号は、第２の電力比を有するパイロットシンボルとデータシンボルを含む。ワイヤレスデバイスは、第１の信号と第２の信号を受信するように構成される受信機を含み、すなわち、第１の電力比を有する送信されたパイロットシンボルとデータシンボルおよび第２の電力比を有する再送されたパイロットシンボルとデータシンボルが受信され、受信信号から通信チャネルを推定する。
【００１６】
図１は、本明細書で説明される少なくともいくつかの例に従って構成された例示的なワイヤレス通信システム１００の図である。いくつかの実施形態では、ワイヤレス通信システム１００は、セルラ通信システムとすることができる。いくつかの実施形態では、ワイヤレス通信システム１００は、ワイヤレスローカルエリアネットワークとすることができる。ワイヤレス通信システム１００は、現在知られている、または今後開発される、他のワイヤレス通信システムも同様に表すことができる。基地局１１０は、中継局１２０および受信機１３０とワイヤレス通信を行うように構成される。例えば、信号は、基地局１１０によって送信し、中継局１２０および受信機１３０によって受信することができる。受信機１３０によって情報を正確に受信できる範囲を拡大するために、中継局１２０は、基地局１１０によって送信された信号を受信し、再送するように構成することができる。例えば、中継局１２０は、基地局１１０から信号送信を受信し、再送のために同じ信号を増幅するように構成することができる。本明細書で説明される少なくともいくつかの例によれば、基地局１１０および中継局１２０は、送信機１１４および送信機１２４をそれぞれ含む。本明細書で説明される少なくともいくつかの例によれば、受信機１３０は、受信ブロック１３４を含む。パイロットシンボルとデータシンボルの組み合わせが、信号内に符号化される。パイロットシンボルは、以下でより詳細に説明するように、送信機と受信機の間で通信を確立するために使用できる、送信機（例えば、基地局１１０、中継局１２０）および受信機（例えば、受信機１３０）によって知られているシンボルに対応する。データシンボルは、受信機に送信されるシンボルに対応し、情報を表す。
【００１７】
受信機１３０は、各通信デバイス（例えば、基地局１１０、中継局１２０）との通信チャネルを確立するように構成され、通信チャネルを介して情報がデバイス間で送信される。通信チャネルを確立するプロセスの一環として、受信機１３０の受信機ブロック１３４は、受信機ブロック１３４の使用を通して、各デバイス１１０、１２０との通信チャネルを推定する。チャネル推定は、基地局１１０の送信機１１４および中継局１２０の送信機１２４によって送信された、データシンボルとともに提供されるパイロットシンボルに少なくとも部分的に基づく。図１に示すように、３つの通信チャネル、すなわち、基地局１１０と受信機１３０の間の第１の通信チャネル１５０、基地局１１０と中継局１２０の間の第２の通信チャネル１６０、および中継局１２０と受信機１３０の間の第３の通信チャネル１７０が存在する。受信機１３０は、通信チャネル１５０、１７０についてのチャネル推定を実行するように構成される。
【００１８】
一般に、通信チャネル１５０、１７０の一方は、他方よりも強力な信号を有する。例えば、通信チャネル１７０は、受信機１３０が中継局１２０に近いため、通信チャネル１５０よりも強力な信号（例えば、より高い信号強度、より高い送信電力、またはより高い信号対雑音比など）を有することができる。受信機１３０が基地局１１０および中継局１２０との位置関係を変えたとき、または基地局１１０、中継局１２０、および受信機１３０の間の環境が変化したときなど、通信チャネル１５０、１７０の相対信号強度も変化することがある。
【００１９】
例示的なワイヤレス通信ネットワーク１００では、基地局１１０の送信機１１４および中継局１２０の送信機１２４によって送信される信号（すなわち、パイロットシンボルとデータシンボル）は、異なる電力レベルで送信することができる。一般に、より弱い通信チャネル（例えば、先の例における通信チャネル１５０）の場合、利用可能な送信電力のより大きな部分が、パイロットシンボルに割り当てられる。より強い通信チャネル（例えば、先の例における通信チャネル１７０）の場合、利用可能な送信電力のより大きな部分は、データシンボルに割り当てることもできる。結果として、基地局１１０および／または中継局１２０におけるパイロットシンボルのデータシンボルに対する電力比は、一貫性のないことがある。加えて、基地局１１０に適用される電力比と中継局１２０に適用される電力比は、互いに等しくないことがある。通信チャネル１５０、１７０の強度は時間につれて変化するので、基地局１１０および中継局１２０によって利用される電力比は、基地局１１０および／または中継局１２０によって動的に変更することもできる。パイロットシンボルとデータシンボルの間での利用可能な送信電力の分配は、受信機１３０によって提供されたチャネル状態情報に少なくとも部分的に基づいて割り当てる（すなわち、基地局１１０および／または中継局１２０によって割り当てる）ことができる。いくつかの実施形態では、チャネル状態情報に加えて、またはチャネル状態情報に代わって、利用可能な送信電力の分配は、例えば、受信機ロケーション、中継局能力、およびネットワーク負荷など、他のパラメータに少なくとも部分的に基づくことができる。
【００２０】
送信機１１４および送信機１２４をそれぞれ使用して、基地局１１０および中継局１２０から異なる電力レベルでパイロットシンボルとデータシンボルを送信することで、受信機１３０との通信の品質を向上させる結果をもたらすことができる。例えば、受信機１３０との通信チャネル１５０が通信チャネル１７０よりも弱いと仮定すると、通信チャネル１５０上でデータシンボルよりも大きな相対電力を用いてパイロットシンボルを送信することで、通信チャネル１５０についてのチャネル推定精度を高めることができる。通信チャネル１７０については、パイロットシンボルよりも大きな相対電力を用いてデータシンボルを送信することで、通信チャネル１７０上の通信の、データシンボル検出精度を高めること、またはノイズ耐性を強化することができる。
【００２１】
図２は、本明細書で説明される少なくともいくつかの実施形態による、データをワイヤレスで伝達するためのいくつかの例示的な方法２００を示すフロー図である。図２の例示的な方法は、図１の例示的な通信システム１００とともに使用することができる。例示的な方法は、ブロック２１０、２２０、２３０、および／または２４０の１つまたは複数によって示されるような、１つまたは複数の動作、アクション、または機能を含むことができる。別個のブロックとして示されているが、様々なブロックは、所望の実施に応じて、さらなるブロックに分割すること、組み合わせてより少ないブロックにすること、または取り除くことができる。処理は、ブロック２１０において開始することができる。
【００２２】
ブロック２１０において、パイロットシンボルとデータシンボルが、基地局から第１の電力比で送信される。パイロットシンボルは、基地局によって第１の電力レベルで送信することができ、一方、データシンボルは、基地局によって第２の電力レベルで送信することができる。この例の場合、第１の電力比は、第１の電力レベルの第２の電力レベルに対する比に対応する。いくつかの例では、基地局内の送信機は、例えば、チャネル状態情報など、受信機から基地局に提供された情報に応答して、パイロットシンボルとデータシンボルに関連する送信電力レベルを調整するように構成することができる。ブロック２１０の後には、ブロック２２０が続くことができる。
【００２３】
ブロック２２０において、基地局からのパイロットシンボルとデータシンボルは、中継局によって受信し、その後、中継局２２０によって第２の電力比で再送することができる。パイロットシンボルは、中継局によって第３の電力レベルで再送することができ、一方、データシンボルは、基地局によって第４の電力レベルで再送することができる。この例の場合、第２の電力比は、第３の電力レベルの第４の電力レベルに対する比に対応する。ブロック２２０の後には、ブロック２３０が続くことができる。
【００２４】
ブロック２３０において、基地局によって送信されたパイロットシンボルとデータシンボル、および中継局によって再送されたパイロットシンボルとデータシンボルが、受信機によって受信される。ブロック２３０の後には、ブロック２４０が続くことができる。
【００２５】
ブロック２４０において、受信機は、例えば、パイロットシンボルなど、送信されたシンボルから通信チャネルを推定するように構成することができる。非限定的な一例では、通信チャネルは、既知のパイロットシンボルと比較した場合の受信パイロットシンボルの正確性に少なくとも部分的に基づいて、受信機によって推定される。チャネル推定分析は、現在知られた技法または今後開発される技法を使用して実施することができる。方法２００の処理は、ブロック２４０の後で終了することができる。
【００２６】
図３は、本明細書で説明される少なくともいくつかの実施形態に従って構成される基地局など、例示的な送信機３００の一部についてのブロック図である。送信機３００は、データを受け取り、受け取ったデータをワイヤレスで送信できるようにそれを符号化するように構成される。図３は、入力２進数（「ビット」）のストリームを受け取るように構成された多値直交振幅（Ｍ−ＱＡＭ）変調器３１０を示している。入力ビットのストリームは、受信機に送信されるデータを表すことができる。入力ビットは、Ｍ−ＱＡＭ変調器３１０によって変調され、Ｍ−ＱＡＭ変調器３１０は、変調ビットを直並列変換器３１４に提供するように構成される。直並列変換器３１４は、変調ビットの直列ストリームを受け取るように構成され、変調ビットをデータシンボルとして電力分配ブロック３２２に並列で提供するように構成される。パイロットシンボル生成器３１８は、Ｍ−ＱＡＭ変調器３１０からの情報に基づいて、パイロットシンボルを生成するように構成され、パイロットシンボルは、電力分配ブロック３２２に提供される。パイロットシンボルは、データシンボルとともに送信され、先に説明したように、データシンボルとパイロットシンボルが送信された通信チャネルを推定するために、受信機によって使用される。
【００２７】
電力分配コントローラ３２６は、送信が電力比「ａ」に従うように、パイロットシンボルとデータシンボルの間で、利用可能な送信電力を割り当てるために、電力分配ブロック３２２を制御するように構成される。したがって、パイロットシンボルの送信電力レベルは、所望の電力比「ａ」を達成するために、データシンボルの送信電力レベルに従って調整することができる。以下で説明するように、電力分配コントローラ３２６は、例えば、チャネル状態情報、信号対雑音比（ＳＮＲ）、シンボル誤り率（ＳＥＲ）、またはチャネル性能に関連する他のファクタなど、様々なファクタに基づいて、利用可能な送信電力を割り当てるために、電力分配ブロック３２２を制御することができる。電力調整されたパイロットシンボルとデータシンボルは、マルチプレクサ３３０に提供され、マルチプレクサ３３０は、パイロットシンボルとデータシンボルを多重化し、送信のためにパイロットシンボルをデータシンボルと組み合わせるように構成される。組み合わされたパイロットシンボルとデータシンボルは、逆離散フーリエ変換（ＩＦＦＴ）ブロック３３４に提供される。ＩＦＦＴブロック３３４は、変換シンボル（すなわち、Ｓ１、Ｓ２、．．．ＳＮ）を生成するように構成される。変換シンボルは、平直列変換器３４０に提供され、その後、ＣＰブロック３４４、すなわちサイクリックプレフィックスブロックに提供され、ＣＰブロック３４４は、送信シンボルを提供するように構成される。送信シンボルは、シンボル間干渉を低減するために、ＣＰブロック３４４によって送信シンボルの先頭に追加されたサイクリックプレフィックスを含む。送信シンボルは、送信機３００からアンテナ３５２を介して送信するために、送信シンボルを変調および増幅するように構成された無線周波（ＲＦ）送信機３４８に提供される。いくつかの実施形態では、シンボルは、直交周波数分割多重（ＯＦＤＭ）に従って送信することができる。
【００２８】
図４は、本明細書で説明される少なくともいくつかの実施形態による、データを送信するためのいくつかの例示的な方法を示すフロー図である。図４の例示的な方法は、図３の送信機３００によって実施することができる。例示的な方法４００は、ブロック４１０、４１４、４１８、４２２、および／または４２６の１つまたは複数によって示されるような、１つまたは複数の動作、アクション、または機能を含むことができる。別個のブロックとして示されているが、様々なブロックは、所望の実施に応じて、さらなるブロックに分割すること、組み合わせてより少ないブロックにすること、または取り除くことができる。処理は、ブロック４１０において開始することができる。
【００２９】
ブロック４１０において、送信されるデータが、データシンボル内に符号化される。例えば、送信されるデータは、Ｍ−ＱＡＭ変調器３１０（図３）および直並列変換器３１４によって符号化することができる。すなわち、データのビットストリームは、変調され、直並列変換器３１４によって使用されて、データシンボルを提供する。いくつかの例では、データは、Ｍ−ＱＡＭ変調とは異なる他の技法を使用して符号化することができる。ブロック４１０の後には、ブロック４１４が続くことができる。
【００３０】
ブロック４１４において、データシンボルとともに送信できるパイロットシンボルが生成される。例えば、パイロットシンボルは、Ｍ−ＱＡＭ変調器３１０によってパイロットシンボル生成器３１８に提供された情報に基づいて、パイロットシンボル生成器３１８によって生成することができる。ブロック４１４の後には、ブロック４１８が続くことができる。
【００３１】
ブロック４１８において、実際のシステムではその合計が制限されることがある利用可能な送信電力が、チャネル状態情報に少なくとも部分的に基づいて、パイロットシンボルとデータシンボルの間で分配（例えば、配分または割り当て）される。例えば、電力は、パイロットシンボルとデータシンボルの間で、利用可能な送信電力を割り当てるために、電力分配ブロック３２２を制御する電力分配コントローラ３２６に応答して、電力分配ブロック３２２によって分配することができる。パイロットシンボルとデータシンボルの間での利用可能な送信電力の分配は、以下でより詳細に説明するように、チャネル状態情報など、受信機からコントローラに提供される情報を使用して決定することができる。ブロック４１８の後には、ブロック４２２が続くことができる。
【００３２】
ブロック４２２において、電力分配ブロック３２２からの電力分配されたパイロットシンボルとデータシンボルの受け取りに応答して、電力分配されたパイロットシンボルとデータシンボルが、送信のために、マルチプレクサ３３０によって組み合わされ、ＩＦＦＴ３３４によって変換される。ブロック４２２の後には、ブロック４２６が続くことができる。
【００３３】
ブロック４２６において、符号化を施された電力分配されたパイロットシンボルとデータシンボルが、．．．によって送信される。方法４００の処理は、ブロック４２６の後で終了することができる。
【００３４】
図５は、本明細書で説明される少なくともいくつかの実施形態に従って構成される中継局など、例示的な送信機５００の一部についてのブロック図である。送信機５００は、例えば、送信シンボルを正確に受信できる範囲を改善するために、送信機によって送信された送信シンボルを受信し、送信シンボルを再送するように構成される。送信された送信シンボルは、アンテナ５０１を介してＲＦ受信機５０２によって受信される。ＲＦ受信機５０２は、送信シンボルを復調および増幅し、復調および増幅した送信シンボルをＣＰ除去ブロック５０４に提供するように構成される。ＣＰ除去ブロック５０４は、復調および増幅された送信シンボルを受け取り、サイクリックプレフィックスを除去し、残りの変換シンボルをフーリエ変換ブロック５０８に提供するように構成される。フーリエ変換ブロック５０８、直並列変換器５１２、およびパイロットシンボル抽出ブロック５１６は、受け取った送信シンボルからパイロットシンボルとデータシンボルを抽出するように構成される。抽出されたパイロットシンボルとデータシンボルは、電力分配ブロック５２０に提供される。電力分配コントローラ５２４は、送信が電力比「ｂ」に従うように、パイロットシンボルとデータシンボルの間で、利用可能な送信電力を割り当てるために、電力分配ブロック５２０を制御するように構成される。パイロットシンボルの送信電力レベルは、所望の電力比「ｂ」を達成するために、データシンボルの送信電力レベルに従って調整することができる。電力調整されたパイロットシンボルとデータシンボルは、電力分配ブロック５２０によってマルチプレクサ５２８に提供され、マルチプレクサ５２８は、電力分配されたパイロットシンボルとデータシンボルを多重化し、送信のためにパイロットシンボルをデータシンボルと組み合わせるように構成される。組み合わされたパイロットシンボルとデータシンボルは、逆離散フーリエ変換（ＩＦＦＴ）ブロック５３２に提供される。ＩＦＦＴブロック５３２は、変換シンボル（すなわち、Ｓ１、Ｓ２、．．．ＳＮ）を生成するように構成される。変換シンボルは、平直列変換器５３４に提供され、その後、サイクリックプレフィックスを追加して、送信シンボルを提供するために、ＣＰブロック５４０に提供される。送信シンボルは、送信機５００からアンテナ５４８を介して再送するために、送信シンボルを変調および増幅するように構成されたＲＦ送信機５４４に提供される。
【００３５】
図６は、本明細書で説明される少なくともいくつかの実施形態による、データを再送するためのいくつかの例示的な方法を示すフロー図である。図６の例示的な方法は、図５の例示的な送信機５００において実施することができる。例示的な方法は、ブロック６１０、６１４、６１８、６２２、および／または６２６の１つまたは複数によって示されるような、１つまたは複数の動作、アクション、または機能を含むことができる。別個のブロックとして示されているが、様々なブロックは、所望の実施に応じて、さらなるブロックに分割すること、組み合わせてより少ないブロックにすること、または取り除くことができる。処理は、ブロック６１０において開始することができる。ブロック６１０において、パイロットシンボルとデータシンボルを含む送信信号を受信することができる。ブロック６１０の後には、ブロック６１４が続くことができる。ブロック６１４において、パイロットシンボルとデータシンボルが抽出される。ブロック６１４の後には、ブロック６１８が続くことができる。ブロック６１８において、利用可能な送信電力が、チャネル状態情報に少なくとも部分的に基づいて、パイロットシンボルとデータシンボルの間で割り当てられる。ブロック６１８の後には、ブロック６２２が続くことができる。ブロック６２２において、パイロットシンボルとデータシンボルが、中継送信信号内に符号化され、ブロック６２６において、中継送信信号を送信することができる。パイロットシンボルは、第１の電力レベルで送信することができ、一方、データシンボルは、送信機によって第２の電力レベルで送信することができる。この例の場合、第１の電力比は、第１の電力レベルの第２の電力レベルに対する比に対応する。方法６００の処理は、ブロック６２６の後で終了することができる。
【００３６】
図７は、例示的な電力分配コントローラ７００についてのブロック図である。電力分配コントローラ７００は、本明細書で説明される少なくともいくつかの実施形態による、チャネル状態情報（ＣＳＩ）を受け取るように構成される最大送信レート計算ブロック７２０を含む。ルックアップテーブル（ＬＵＴ）７３０が、最大送信レート計算ブロック７２０に結合され、計算された最大送信レートをそこから受け取るように構成される。制御情報が、電力分配コントローラ７００によって、送信機３００、５００のそれぞれの電力分配ブロック３２２、５２０など、電力分配ブロックに提供される。電力分配コントローラ７００からの制御情報は、先に説明したように、パイロットシンボルとデータシンボルの間で、利用可能な送信電力を適応的に分配するために、電力分配ブロックによって利用される。動作面では、最大送信レート計算ブロック７２０は、ＣＳＩから近似的に最大の送信レートを決定するように構成される。最大送信レートは、ＬＵＴ７３０と、送信機の変調器とに提供される。ＬＵＴ７３０は、異なる送信レートに関連付けられた、そこに記憶された電力比（例えば、基地局によって利用される「ａ」、中継局によって利用される「ｂ」）を含む。関連付けられた電力比は、計算ブロック７２０からの決定された最大送信レートに基づいて、ＬＵＴ７３０によって選択される。電力分配ブロック（例えば、３２２または５２０）は、選択された電力比に基づいて、パイロットシンボルとデータシンボルの間で、利用可能な送信電力を分配するように構成される。例えば、利用可能な送信電力の合計が「Ｐ」として与えられ、基地局のための送信電力の比が「ａ」として与えられる場合、パイロット電力「ＰＰ」およびデータ電力「ＰＤ」は、式ＰＰ＝ａ・Ｐ／（１＋ａ）および式ＰＤ＝Ｐ／（１＋ａ）によって決定することができる。同様に、中継局のための送信電力の比が「ｂ」として与えられる場合、パイロット電力「ＰＰ」およびデータ電力「ＰＤ」は、式ＰＰ＝ｂ・Ｐ／（１＋ｂ）および式ＰＤ＝Ｐ／（１＋ｂ）によって決定することができる。
【００３７】
図８は、本明細書で説明される少なくともいくつかの実施形態に従って構成される例示的な受信機８００の一部についてのブロック図である。受信機８００は、送信機によって送信された送信シンボルを受信し、受信した送信信号からデータを抽出するように構成される。受信した送信信号は、アンテナ８０１を介してＲＦ受信機８０２によって受信される。ＲＦ受信機８０２は、受信した送信シンボルを復調および増幅し、復調および増幅した送信シンボルをＣＰ除去ブロック８０４に提供するように構成される。ＣＰ除去ブロック８０４は、送信シンボルを受け取り、サイクリックプレフィックスを除去し、変換シンボルをフーリエ変換ブロック８０８に提供するように構成される。フーリエ変換ブロック８０８、直並列変換器８１２、およびデータ検出ブロック８２０は、受け取った送信シンボルからデータシンボルを抽出するように構成される。抽出されたパイロットシンボル（すなわち、Ｓ１、Ｓ２、．．．ＳＮ）は、多値直交振幅（Ｍ−ＱＡＭ）復調器８３４に提供され、多値直交振幅（Ｍ−ＱＡＭ）復調器８３４は、データシンボルを復調して、送信機によって送信されたデータを表すデータビットのストリームにするように構成される。いくつかの実施形態では、ＯＦＤＭに従ったデータの受信および回復を使用することができる。パイロットシンボル抽出ブロック８１６は、受け取った送信シンボルからパイロットシンボルを抽出するように構成され、パイロットシンボルは、チャネル推定ブロック８２４に提供される。送信機（例えば、基地局および中継局）によって利用される電力比ａ、ｂは、チャネル推定ブロック８２４に提供され、チャネル推定ブロック８２４は、パイロットシンボルとともに電力比ａ、ｂを使用して、受信機８００が送信機と通信できるチャネルを推定するように構成される。チャネル推定から導出されたチャネル状態情報は、基地局または中継局などの送信機に提供される。
【００３８】
図９は、本明細書で説明される少なくともいくつかの実施形態による、通信チャネルを確立するためのいくつかの例示的な方法を示すフロー図である。図９の例示的な方法は、図８の例示的な受信機８００において実施することができる。例示的な方法は、ブロック９１０、９２０、および／または９３０の１つまたは複数によって示されるような、１つまたは複数の動作、アクション、または機能を含むことができる。別個のブロックとして示されているが、様々なブロックは、所望の実施に応じて、さらなるブロックに分割すること、組み合わせてより少ないブロックにすること、または取り除くことができる。処理は、ブロック９１０において開始することができる。ブロック９１０において、第１の電力比を有する、第１の送信機（例えば、基地局）によって送信されたパイロットシンボルとデータシンボルが、受信機によって受信される。パイロットシンボルは、第１の電力レベルで送信することができ、一方、データシンボルは、送信機によって第２の電力レベルで送信することができる。この例の場合、第１の電力比は、第１の電力レベルの第２の電力レベルに対する比に対応する。ブロック９１０の後には、ブロック９２０が続くことができる。ブロック９２０において、第２の電力比を有する、第２の送信機（例えば、中継局）によって送信されたパイロットシンボルとデータシンボルが、受信機によって受信される。パイロットシンボルは、第１の電力レベルで送信することができ、一方、データシンボルは、送信機によって第２の電力レベルで送信することができる。この例の場合、第２の電力比は、第１の電力レベルの第２の電力レベルに対する比に対応する。ブロック９２０の後には、ブロック９３０が続くことができる。ブロック９３０において、受信機は、例えば、パイロットシンボルなど、シンボルから通信チャネルを推定する。非限定的な一例では、通信チャネルは、既知のパイロットシンボルと比較した場合の受信パイロットシンボルの正確性に少なくとも部分的に基づいて、受信機によって推定される。チャネル推定分析は、現在知られた技法または今後開発される技法を使用して実施することができる。方法９００の処理は、ブロック９３０の後で終了することができる。
【００３９】
本開示は、様々な態様の例示として意図された、本出願において説明された特定の例に関して限定されるべきではない。当業者には明らかなように、本開示の主旨および範囲から逸脱することなく、多くの変更を施し、また多くの例を作ることができる。本明細書で列挙された方法および装置に加えて、開示の範囲内にある機能的に等価な方法および装置が、上述の説明から当業者には明らかである。そのような変更および例は、添付の特許請求の範囲内に包含されることが意図されている。本開示は、添付の特許請求の範囲の項目と、そのような特許請求の範囲に権利が与えられた均等物の全範囲とによってのみ限定されるべきである。本開示は、もちろん様々であり得る、特定の方法、試薬、化合物、組成物、または生物システムに限定されない。本明細書で使用される用語は、特定の例を説明することを目的としているにすぎず、限定することは意図していないことも理解されたい。
【００４０】
本明細書では、実質的にどの複数形の用語および／または単数形の用語の使用に関しても、当業者であれば、状況および／または用途に適するように、複数から単数および／または単数から複数に変換することができる。本明細書では、明瞭となるように、様々な単数／複数間の置き換えを明示的に説明することもできる。
【００４１】
一般に、本明細書、特に添付の特許請求の範囲（例えば、添付の特許請求の範囲の本文）において使用される用語は、一般に、「オープン」タームであることが意図されていること（例えば、「〜を含む（ｉｎｃｌｕｄｉｎｇ）」という語は、「〜を含むが、それらに限定されない」と解釈すべきであり、「〜を有する（ｈａｖｉｎｇ）」という語は、「少なくとも〜を有する」と解釈すべきであり、「〜を含む（ｉｎｃｌｕｄｅｓ）」という語は、「〜を含むが、それらに限定されない」と解釈すべきであるなど）を当業者であれば理解されよう。
【００４２】
導入されるクレーム記載物（ｃｌａｉｍ  ｒｅｃｉｔａｔｉｏｎ）について特定の数が意図される場合、そのような意図は、請求項において明示的に記載され、そのような記載がない場合は、そのような意図も存在しないことを当業者であればさらに理解されよう。例えば、理解の助けとして、以下の添付の特許請求の範囲では、クレーム記載物を導入するために、「少なくとも１つの」および「１つまたは複数の」という導入句の使用を含むことがある。しかし、そのような語句の使用は、同じ請求項が、「１つまたは複数の」および「少なくとも１つの」という導入句と、「ａ」または「ａｎ」などの不定冠詞を含む場合であっても、不定冠詞「ａ」または「ａｎ」によるクレーム記載物の導入が、そのように導入されたクレーム記載物を含む特定の請求項を、ただ１つのそのような記載物を含む例に限定することを含意すると解釈すべきではなく（例えば、「ａ」および／または「ａｎ」は、「少なくとも１つの」または「１つまたは複数の」を意味すると解釈すべきであり）、クレーム記載物を導入するために使用される定冠詞の使用についても同じことが当てはまる。加えて、導入されるクレーム記載物について特定の数が明示的に記載される場合であっても、そのような記載は、少なくとも記載された数は存在することを意味すると解釈すべきである（例えば、他の修飾句を伴わない「２つの記載物」という最小限の記載は、少なくとも２つの記載物、または２つ以上の記載物を意味する）ことを当業者であれば理解されよう。
【００４３】
さらに、「Ａ、Ｂ、およびＣなどのうちの少なくとも１つ」に類似した慣用表現が使用される場合、一般に、そのような構造は、当業者がその慣用表現を理解する意味において意図されている（例えば、「Ａ、Ｂ、およびＣのうちの少なくとも１つを有するシステム」は、Ａだけ、Ｂだけ、Ｃだけ、ＡとＢをともに、ＡとＣをともに、ＢとＣをともに、および／またはＡとＢとＣをともに有するシステムを含むが、それらに限定されない）。「Ａ、Ｂ、またはＣなどのうちの少なくとも１つ」に類似した慣用表現が使用される場合、一般に、そのような構造は、当業者がその慣用表現を理解する意味において意図されている（例えば、「Ａ、Ｂ、またはＣのうちの少なくとも１つを有するシステム」は、Ａだけ、Ｂだけ、Ｃだけ、ＡとＢをともに、ＡとＣをともに、ＢとＣをともに、および／またはＡとＢとＣをともに有するシステムを含むが、それらに限定されない）。２つ以上の代替用語を提示する実質的にすべての離接語および／または離接句は、説明内か、特許請求の範囲内か、それとも図面内かに係わらず、用語の一方、用語のいずれか、または両方の用語を含む可能性を企図していると理解すべきであることを当業者であればさらに理解されよう。例えば、「ＡまたはＢ」という句は、「Ａ」または「Ｂ」または「ＡとＢ」の可能性を含むと理解される。
【００４４】
加えて、本開示の特徴または態様がマーカッシュグループに関して説明される場合、本開示が、それによって、マーカッシュグループの個々の要素またはマーカッシュグループの要素からなるサブグループに関しても説明されていることが当業者には理解されよう。
【００４５】
当業者であれば理解されるように、文書による説明を提供することなどに関するありとあらゆる目的のため、本明細書で開示されたすべての範囲は、すべての範囲のありとあらゆる可能な部分範囲および部分範囲の組み合わせも包含する。いずれの列挙された範囲も、当該範囲を十分に説明しており、また当該範囲を少なくとも等分に２分割、３分割、４分割、５分割、１０分割などすることが可能であることを容易に認識することができる。非限定的な一例として、本明細書で説明された各範囲は、下位３分の１、中間３分の１、および上位３分の１などに容易に分割することができる。やはり当業者であれば理解されるように、「最大で」、「少なくとも」、「より多い」、「より少ない」などのすべての言葉は、挙げられた数を含み、上で説明されたように後で部分範囲に分割できる範囲に言及している。最後に、当業者であれば理解されるように、範囲は、各個別要素を含む。したがって、例えば、１つ〜３つの項目を有する群は、１つ、２つ、または３つの項目を有する群に言及している。同様に、１つ〜５つの項目を有する群は、１つ、２つ、３つ、４つ、または５つの項目を有する群に言及しており、その他についても同様である。
【００４６】
上述の詳細な説明では、ブロック図、フローチャート、および／または例の使用によって、デバイスおよび／またはプロセスの様々な例を説明したが、そのようなブロック図、フローチャート、および／または例は、１つまたは複数の機能および／または動作を含んでおり、そのようなブロック図、フローチャート、および／または例の内の各機能および／または動作は、広範なハードウェア、ソフトウェア、ファームウェア、またはそれらの実質的に任意の組み合わせによって、個別におよび／または集団で実施できることが当業者には理解されよう。一例では、本明細書で説明された本発明のいくつかの部分は、特定用途向け集積回路（ＡＳＩＣ）、フィールドプログラマブルゲートアレイ（ＦＰＧＡ）、デジタル信号プロセッサ（ＤＳＰ）、または他の統合形式によって実施することができる。しかし、本明細書で開示される例のいくつかの態様は、全体的または部分的に、集積回路で、１つもしくは複数のコンピュータ上で動作する１つもしくは複数のコンピュータプログラム（例えば、１つもしくは複数のコンピュータシステム上で動作する１つもしくは複数のプログラム）として、１つもしくは複数のプロセッサ上で動作する１つもしくは複数のプログラム（例えば、１つもしくは複数のマイクロプロセッサ上で動作する１つもしくは複数のプログラム）として、ファームウェアとして、またはそれらの実質的に任意の組み合わせとして等価的に実施することができること、また回路の設計ならびに／またはソフトウェアおよび／もしくはファームウェアのためのコードの記述は、本開示を踏まえれば十分に当業者の技能の範囲内にあることが当業者には理解されよう。例えば、ユーザは、速度および精度が最重要であると決定した場合は、主としてハードウェアおよび／もしくはファームウェア手段を選択することができ、柔軟性が最重要である場合は、主としてソフトウェア実施を選択することができ、またはさらに別の代替として、ハードウェア、ソフトウェア、および／もしくはファームウェアの何らかの組み合わせを選択することができる。
【００４７】
さらに、本明細書に記載された主題のメカニズムを様々な形式のプログラム製品として配布することができることを、当業者は理解するであろうし、本明細書に記載された主題の例示的な例が、実際に配布を実行するために使用される信号伝達媒体の特定のタイプにかかわらず適用されることを、当業者は理解するであろう。信号伝達媒体の例には、フロッピー（登録商標）ディスク、ハードディスクドライブ、コンパクトディスク（ＣＤ）、デジタルビデオディスク（ＤＶＤ）、デジタルテープ、コンピュータメモリ、などの記録可能なタイプの媒体、ならびに、デジタル通信媒体および／またはアナログ通信媒体（例えば、光ファイバケーブル、導波管、有線通信リンク、無線通信リンクなど）の通信タイプの媒体が含まれるが、それらには限定されない。
【００４８】
本明細書で説明したやり方で装置および／またはプロセスを記載し、その後そのように記載された装置および／またはプロセスを、データ処理システムに統合するためにエンジニアリング方式を使用することは、当技術分野で一般的であることを当業者は認識するであろう。すなわち、本明細書に記載された装置および／またはプロセスの少なくとも一部を、妥当な数の実験によってデータ処理システムに統合することができる。通常のデータ処理システムは、一般に、システムユニットハウジング、ビデオディスプレイ装置、揮発性メモリおよび不揮発性メモリなどのメモリ、マイクロプロセッサおよびデジタル信号プロセッサなどのプロセッサ、オペレーティングシステムなどの計算実体、ドライバ、グラフィカルユーザインタフェース、およびアプリケーションプログラムのうちの１つもしくは複数、タッチパッドもしくはスクリーンなどの１つもしくは複数の相互作用装置、ならびに／またはフィードバックループおよびコントロールモータを含むコントロールシステム（例えば、位置検知用および／もしくは速度検知用フィードバック、コンポーネントの移動用および／もしくは数量の調整用コントロールモータ）を含むことを、当業者は理解するであろう。通常のデータ処理システムは、データコンピューティング／通信システムおよび／またはネットワークコンピューティング／通信システムの中に通常見られるコンポーネントなどの、市販の適切なコンポーネントを利用して実装することができる。
【００４９】
本明細書に記載された主題は、様々なコンポーネントをしばしば例示しており、これらのコンポーネントは、他の様々なコンポーネントに包含されるか、または他の様々なコンポーネントに接続される。そのように図示されたアーキテクチャは、単に例にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００５０】
本明細書では、様々な態様および例が開示されたが、他の態様および例も当業者には明らかである。本明細書で開示された様々な態様および例は、例示を目的としており、限定することは意図しておらず、真の範囲および主旨は、以下の特許請求の範囲によって示される。
【図１】
0005557957.tif 000002
【図２】
0005557957.tif 000003
【図３】
0005557957.tif 000004
【図４】
0005557957.tif 000005
【図５】
0005557957.tif 000006
【図６】
0005557957.tif 000007
【図７】
0005557957.tif 000008
【図８】
0005557957.tif 000009
【図９】
0005557957.tif 000010